【事件の表示】
　特願２００３−　１３２１９「ゴルフクラブヘッド」拒絶査定不服審判事件〔平成１６年　８月１２日出願公開、特開２００４−２２２９０６〕について、次のとおり審決する。
【結　論】
　本件審判の請求は、成り立たない。
【理　由】
第１　手続の経緯
　本願は、平成１５年１月２２日の出願であって、平成２０年３月１０日付けで手続補正がなされ、同年５月７日付けで拒絶査定がなされ、これに対して、同月２８日付けで拒絶査定不服審判の請求がなされ、当審において、平成２２年８月２４日付けで拒絶の理由（以下「当審拒絶理由」という。）の通知がなされ、同年１０月１８日付けで手続補正がなされたものである。
　
第２　本願発明の認定
　本願の請求項１ないし４に係る発明は、平成２２年１０月１８日付け手続補正により補正された明細書及び図面の記載からみて、明細書の特許請求の範囲の請求項１ないし４に記載された事項によってそれぞれ特定されるものと認められるところ、その請求項１に係る発明（以下「本願発明」という。）は、次のとおりのものである。
　
「ヘッド基体の表面に塗膜を有するゴルフクラブヘッドであって、
　前記塗膜は、金属酸化物で被覆されたガラス片を含有する光輝性塗料からなる光輝層を含み、
　前記金属酸化物で被覆されたガラス片は光透過性を有しており、
　前記光輝性塗料における前記ガラス片の含有率は、前記光輝性塗料の固形分に対して０．０１重量％以上でかつ１．０重量％以下であり、
　前記塗膜の全厚さは１００μｍ以下であり、かつ、
　前記塗膜は、前記ヘッド基体の表面上に形成されたプライマー層と、このプライマー層の上に形成されかつ着色顔料を含有する着色塗料からなる着色層と、この着色層の外側に形成されかつ偏光顔料を含有する偏光塗料からなる偏光層と、この偏光層の外側に形成された前記光輝層と、を含むことを特徴とするゴルフクラブヘッド。」
　
第３　刊行物の記載事項
　１　当審拒絶理由に引用された、本願の出願前に頒布された刊行物である特開２００２−１５５２４３号公報（以下「引用例１」という。）には、以下の事項が記載されている（下線は、審決で付した。以下同じ。）。
　
（１）「【０００１】
【発明の属する技術分野】本発明は、
強い光輝感ならびに立体的な光輝感を与える
塗装物
　
（２）「【００１１】
本発明の光輝性塗膜形成方法においては、上記基材に直接または下地塗膜を介して光輝性ベース塗膜を形成する
下塗り塗装、必要によっては中塗り塗装
本明細書においては、この基材に上記処理や塗装が施されたものも含める
【００１２】上
記基材への光輝性ベース塗膜の形成には光輝性ベース塗料塗膜が用いられる
上記基材が下塗り、中塗り塗料等により下地塗装をしたものである場合には
得られた下地塗膜の上に
上記光輝性塗料を塗装する
【００１３】光輝性ベース塗膜を基材上に形成する方法は特に限定されないが、スプレー法、ロールコーター法等が好ましく、また、複数回塗装することも可能である。上記光輝性塗料組成物を塗装した光輝性ベース塗膜の乾燥膜厚は、１コートにつき５〜５０μｍが好ましく、１０〜３０μｍがより好ましい。
【００１４】上記光輝性ベース塗料は、ビヒクルと
光輝性顔料
【００１５】上記ビヒクルを構成する塗膜形成用樹脂としては、例えば、（ａ）アクリル樹脂、（ｂ）ポリエステル樹脂、（ｃ）アルキッド樹脂、（ｄ）フッ素樹脂、（ｅ）エポキシ樹脂、（ｆ）ポリウレタン樹脂、（ｇ）ポリエーテル樹脂が挙げられ、特に、アクリル樹脂およびポリエステル樹脂が、耐候性の点より好ましく用いられる。これらは、２種以上を組み合わせて使用することができる。また、上記塗膜形成用樹脂には、硬化性を有するタイプとラッカータイプとがあるが、通常硬化性を有するタイプのものが使用される。硬化性を有するタイプの場合には、アミノ樹脂や（ブロック）ポリイソシアネート化合物、アミン系、ポリアミド系、多価カルボン酸等の架橋剤と混合して使用に供され、加熱または常温で硬化反応を進行させることができる。また、硬化性を有しないタイプの塗膜形成用樹脂と硬化性を有するタイプと併用することも可能である。
【００１６】上記（ａ）アクリル樹脂としては、アクリル系モノマーと他のエチレン性不飽和モノマーとの共重合体を挙げることができる。上記共重合に使用し得るアクリル系モノマーとしては、アクリル酸またはメタクリル酸のメチル、エチル、プロピル、ｎ−ブチル、ｉ−ブチル、ｔ−ブチル、２−エチルヘキシル、ラウリル、フェニル、ベンジル、２−ヒドロキシエチル、２−ヒドロキシプロピル等のエステル化物類、アクリル酸またはメタクリル酸２−ヒドロキシエチルのカプロラクトンの開環付加物類、アクリル酸グリシジル、メタクリル酸グリシジル、アクリルアミド、メタクリルアミドおよびＮ−メチロールアクリルアミド、多価アルコールの（メタ）アクリル酸エステルなどがある。これらと共重合可能な上記他のエチレン性不飽和モノマーとしては、スチレン、α−メチルスチレン、イタコン酸、マレイン酸、酢酸ビニルなどがある。
【００１７】上記（ｂ）ポリエステル樹脂としては、飽和ポリエステル樹脂や不飽和ポリエステル樹脂が挙げられ、例えば、多塩基酸と多価アルコールを加熱縮合して得られた縮合物が挙げられる。多塩基酸としては、飽和多塩基酸、不飽和多塩基酸が挙げられ、飽和多塩基酸としては、例えば、無水フタル酸、テレフタル酸、コハク酸が挙げられ、不飽和多塩基酸としては、例えば、マレイン酸、無水マレイン酸、フマル酸が挙げられる。多価アルコールとしては、例えば、二価アルコール、三価アルコールが挙げられ、二価アルコールとしては、例えば、エチレングリコール、ジエチレングリコールが挙げられ、三価アルコールとしては、例えば、グリセリン、トリメチロールプロパンが挙げられる。
【００１８】上記（ｃ）アルキッド樹脂としては、上記多塩基酸と多価アルコールにさらに油脂・油脂脂肪酸（大豆油、アマニ油、ヤシ油、ステアリン酸等）、天然樹脂（ロジン、コハク等）等の変性剤を反応させて得られたアルキッド樹脂を用いることができる。
【００１９】上記（ｄ）フッ素樹脂としては、フッ化ビニリデン樹脂、四フッ化エチレン樹脂のいずれかまたはこれらの混合体、フルオロオレフィンとヒドロキシ基含有の重合性化合物およびその他の共重合可能なビニル系化合物からなるモノマーを共重合させて得られる各種フッ素系共重合体からなる樹脂を挙げることができる。
【００２０】上記（ｅ）エポキシ樹脂としては、ビスフェノールとエピクロルヒドリンの反応によって得られる樹脂等を挙げることができる。ビスフェノールとしては、例えば、ビスフェノールＡ、Ｆが挙げられる。上記ビスフェノール型エポキシ樹脂としては、例えば、エピコート８２８、エピコート１００１、エピコート１００４、エピコート１００７、エピコート１００９（いずれも、シェルケミカル社製）が挙げられ、またこれらを適当な鎖延長剤を用いて鎖延長したものも用いることができる。
【００２１】上記（ｆ）ポリウレタン樹脂としては、アクリル、ポリエステル、ポリエーテル、ポリカーボネート等の各種ポリオール成分とポリイソシアネート化合物とによって得られるウレタン結合を有する樹脂を挙げることができる。上記ポリイソシアネート化合物としては、２，４−トリレンジイソシアネート（２，４−ＴＤＩ）、２，６−トリレンジイソシアネート（２，６−ＴＤＩ）、およびその混合物（ＴＤＩ）、ジフェニルメタン−４，４’−ジイソシアネート（４，４’−ＭＤＩ）、ジフェニルメタン−２，４’−ジイソシアネート（２，４’−ＭＤＩ）、およびその混合物（ＭＤＩ）、ナフタレン−１，５−ジイソシアネート（ＮＤＩ）、３，３’−ジメチル−４，４’−ビフェニレンジイソシアネート、キシリレンジイソシアネート（ＸＤＩ）、ジシクロへキシルメタン・ジイソシアネート（水素化ＨＤＩ）、イソホロンジイソシアネート（ＩＰＤＩ）、ヘキサメチレンジイソシアネート（ＨＤＩ）、水素化キシリレンジイソシアネート（ＨＸＤＩ）等を挙げることができる。
【００２２】上記（ｇ）ポリエーテル樹脂としては、エーテル結合を有する重合体または共重合体であり、ポリオキシエチレン系ポリエーテル、ポリオキシプロピレン系ポリエーテル、もしくはポリオキシブチレン系ポリエーテル、またはビスフェノールＡもしくはビスフェノールＦなどの芳香族ポリヒドロキシ化合物から誘導されるポリエーテル等の１分子当たりに少なくとも２個の水酸基を有するポリエーテル樹脂を挙げることができる。また上記ポリエーテル樹脂とコハク酸、アジピン酸、セバシン酸、フタル酸、イソフタル酸、テレフタル酸、トリメリット酸等の多価カルボン酸類、あるいは、これらの酸無水物等の反応性誘導体とを反応させて得られるカルボキシル基含有ポリエーテル樹脂を挙げることができる。
【００２３】上記ビヒクルが架橋剤を含む場合、塗膜形成用樹脂と架橋剤の割合としては、固形分換算で塗膜形成用樹脂が９０〜５０質量％、架橋剤が１０〜５０質量％であり、好ましくは塗膜形成用樹脂が８５〜６０質量％であり、架橋剤が１５〜４０質量％である。架橋剤が１０質量％未満では（塗膜形成用樹脂が９０質量％を超えると）、塗膜中の架橋が十分でないことがある。一方、架橋剤が５０質量％を超えると（塗膜形成用樹脂が５０質量％未満では）、塗料組成物の貯蔵安定性が低下するとともに硬化速度が大きくなるため、塗膜外観が悪くなることがある。
【００２４】上記光輝性ベース塗料に含まれる光輝性顔料としては、従来から塗料用として常用されているものを含有することができる。このようなものとして、例えば、
アルミニウムフレーク顔料
　
（３）「【００２９】本発明の光輝性塗膜形成方法では、次いで第２の工程として、このようにして形成された
上記光輝性ベース塗膜上
金属酸化物被覆ガラスフレーク顔料を含有する光輝性顔料含有クリヤー塗膜
１層形成する
【００３０】この
光輝性顔料含有クリヤー塗膜中の金属酸化物被覆ガラスフレーク顔料の含有量（塗料固形分１００質量部に対する顔料の固形分質量割合：ＰＷＣ）は、０．０１〜３０質量％である
【００３１】上記
光輝性顔料含有クリヤー塗膜の形成
ビヒクルとを含んでいる。なお、光輝性顔料含有クリヤー塗料に含まれるビヒクル、添加剤および溶剤は上記光輝性ベース塗料で用いたものと同じものを使用できる。
【００３３】上記金属酸化物被覆ガラスフレーク顔料は、金属酸化物が被覆された状態での
Ｄ
50
が、２０〜４０μｍ
なお本発明でのＤ
50
は、長径の粒子径分布において、相対累積粒子径分布曲線における累積量が５０％のときの粒子径を意味する
【００３４】また上記金属酸化物被覆ガラスフレーク顔料は、Ｄ90が、６０μｍ以下で、好ましくは３０〜５０μｍである。なお本発明でのＤ90は、長径の粒子径分布において、相対累積粒子径分布曲線における累積量が９０％のときの粒子径を意味する。Ｄ90が６０μｍを超えると、サーキュレーション時にフィルター目詰まりを起こす。なお、ここでいうフィルターはィルターサイズが２００μｍ程度のクノーフィルターである。
【００３５】さらに上記
金属酸化物被覆ガラスフレーク顔料の厚みは、０．１〜１０μｍ
上記金属酸化物被覆ガラスフレーク顔料が、発現する干渉色は、被覆する金属酸化物量（被覆厚）を調整することで、変化させることができる
【００３６】なお上記光輝性顔料含有クリヤー塗料は、金属酸化物被覆ガラスフレーク顔料の効果を妨げない範囲で、上記光輝性ベース塗料のところで述べた光輝性顔料を併用することができる。」
　
（４）「【００３７】本発明の光輝性塗膜形成方法では、次いで第３の工程として、このようにして形成された
上記光輝性顔料含有クリヤー塗膜上にクリヤートップ塗膜を
１層形成する
　
（５）「【００５１】本発明により得られる塗膜は上記意匠を呈するため、自動車、二輪車等の乗物外板、容器外面、コイルコーティング、家電業界
等の光輝性が要求される分野において好ましく使用される
　
（６）摘記（１）ないし（５）を含む引用例１から、引用例１には、次の発明（以下「引用発明」という。）が記載されていると認められる。
　
「基材と、
　該基材上に形成された、下塗り塗料による第１の下地塗膜と、
　該第１の下地塗膜上に形成された、中塗り塗料による第２の下地塗膜と、
　該第２の下地塗膜上に形成された、アルミニウムフレーク顔料を含有する光輝性ベース塗膜と、
　該光輝性ベース塗膜上に形成された、金属酸化物被覆ガラスフレーク顔料を０．０１〜３０質量％（塗料固形分１００質量部に対する顔料の固形分質量割合：ＰＷＣ）含有する光輝性顔料含有クリヤー塗膜と
からなる塗装物。」
　
　２　当審拒絶理由に引用された、本願の出願前に頒布された刊行物である特開２００２−３２５８６８号公報（以下「引用例２」という。）には、以下の事項が図とともに記載されている。
　
（１）「【０００２】
【従来の技術及び発明が解決しようとする課題】ゴルフクラブヘッド、特にウッド型のゴルフクラブヘッドは、飛距離や方向性といった打球性能の向上を目的として大型化が進むとともに、ヘッドの意匠的な外観にも美しさや高級感が求められている。特に近年では、金属的な光沢を醸し出すメタリック塗装や、光の入射方向又は光の強度に応じて、色が違って見える偏光塗装を用いたものが提案されている。
【０００３】偏光塗料でヘッドを塗装する場合、例えば図３に示すように、先ず素材地であるヘッド基体ａの表面に、
下地処理として無色透明なプライマを塗布し下地層ｂを形成する。しかる後、該下地層ｂの外側に、予め雲母等の偏光材料と着色材料とを混合した着色偏光塗料を塗布して着色偏光層ｃを形成する
【０００４】しかしながら、前記塗膜では偏光作用が十分に得られず、市場で要求される優れた高級感や特徴のある複雑な色合いを形成するには未だ至っていないことが判明した。発明者らは、この点について鋭意研究を行った。その結果、金属材料からなるヘッド基体ａの表面が通常、金属グレー色を呈しているため、着色偏光層ｃを通過した光がヘッド基体ａの表面で反射されて該反射光が偏光作用を抑制しているとの知見を得た。
【０００５】本発明は、以上のような問題点に鑑み案出なされたもので、
下地層と偏光着色層との間に、着色塗料のみからなる着色層を介在させて、塗膜を４つの層で形成することを基本として、ヘッド基体表面での反射を抑制して偏光作用をより効果的に具現化しうるゴルフクラブヘッド
【０００６】
【課題を解決するための手段】本発明のうち請求項１記載の発明は、金属材料からなるヘッド基体の表面に塗膜を形成したゴルフクラブヘッドであって、前記塗膜は、最もヘッド基体側に形成された下地層と、その外側に形成されかつ着色塗料からなる着色層と、この着色層の外側に形成されかつ着色顔料と偏光材料とを含む着色偏光塗料からなる着色偏光層と、この着色偏光層の外側に形成された透明なクリア層とからなり、かつ前記着色偏光層の厚さが１０〜４０μｍでしかも前記塗膜の全厚さが１００μｍ以下であるとともに、前記偏光材料は、着色したアルミ薄片からなることを特徴としている。」 
　
（２）「【００１２】次に下地層３ａの外側に、着色塗料を塗装して該着色塗料が硬化した
着色層３ｂ
下地層３ａからの反射光の影響を無くすため、黒色ないし黒色系のものを用いるのが望ましい
【００１３】前記
着色塗料としては
黒色の顔料を配合した塗料を用いている
【００１４】また
着色層３ｂは、その厚さが薄すぎると塗装工程に熟練した技術を要するなど困難となる他、後述する偏光作用の向上効果が期待できない傾向があり、逆に着色層の厚さが大きすぎると、着色層の剛性が高くなる反面、もろくなり耐衝撃性に劣る傾向がある。このような観点より、着色層３ｂの厚さは、特に限定されるものではないが、好ましくは１〜２５μｍ、より好ましくは５〜１５μｍとすることが望ましい
【００１５】次に着色層３ｂの外側に、着色顔料と偏光材料４とを含む着色偏光塗料を塗装して着色偏光層３ｃを形成する工程を行う。前記着色偏光塗料の色目は、特に限定されるものではないが、着色層３ｂに黒色ないし黒色系のものを用いた場合、該着色層３ｂにより光の反射が抑制されるので、この着色偏光塗料の色目によって仕上がりヘッドの基本色が決定される。なお着色層３ｂに黒色系以外のものを用いた場合、仕上がりヘッドの色目は、着色層３ｂの色目が強く表れるが、偏光作用が低下するため好ましくない。」
　
（３）「【００２５】そして前記塗膜３の全厚さｔは、１００μｍ以下、より好ましくは２５〜９０μｍ、さらに好ましくは４０〜８０μｍとすることが望ましい。前記
塗膜３の全厚さｔが１００μｍを超えると、硬くかつもろくなるなど耐衝撃性が低下する
　
（４）「【００３０】
【発明の効果】以上説明したように請求項１記載の発明によれば、ヘッド基体に形成された塗膜が、着色偏光層を含むとともに、その内側に着色塗料からなる着色層を介在させたことにより、着色偏光層を通過した光がヘッド基体で反射するのを効果的に防止でき、より明瞭に偏光作用を具現化しうる。その結果、高級感があり、多くのプレーヤーに好まれる色目のゴルフクラフヘッドを提供しうる。」
　
第４　対比
　本願発明と引用発明とを対比する。
　１　引用発明の「基材」、「金属酸化物被覆ガラスフレーク顔料」及び「『金属酸化物被覆ガラスフレーク顔料』を含有する『光輝性顔料含有クリヤー塗膜』」は、それぞれ、本願発明の「基体」、「金属酸化物で被覆されたガラス片」及び「金属酸化物で被覆されたガラス片を含有する光輝性塗料からなる光輝層」に相当する。
　
　２　引用発明の塗装物は、「基体（基材）」と、下塗りによる下地塗膜と、中塗り塗料による下地塗膜と、光輝性ベース塗膜と、光輝性顔料含有クリヤー塗膜とからなるものであるから、引用発明の「下塗りによる下地塗膜、、中塗り塗料による下地塗膜、光輝性ベース塗膜及び光輝性顔料含有クリヤー塗膜」が、本願発明の「塗膜」に相当し、引用発明の「塗装物」と本願発明の「ヘッド基体の表面に塗膜を有するゴルフクラブヘッド」とは、「基体の表面に塗膜を有する塗装物」である点で一致する。
　
　３　引用発明の「金属酸化物で被覆されたガラス片（金属酸化物被覆ガラスフレーク顔料）」は、光透過性を有するものであることが当業者に自明であるから、引用発明の「金属酸化物で被覆されたガラス片」と本願発明の「金属酸化物で被覆されたガラス片」とは、「光透過性を有して」いる点で一致する。
　
　４　引用発明の「第１の下地塗膜」は、「基体（基材）」上に形成された、下塗り塗料によるものであるから、本願発明の「プライマー層」に相当し、かつ、引用発明の「プライマー層（第１の下地塗装）」と本願発明の「ヘッド基体の表面上に形成されたプライマー層」とは、「基体の表面上に形成された」ものである点で一致する。
　
　５　引用発明の「第２の下地塗膜」は、「プライマー層（第１の下地塗膜）」上に形成された、中塗り塗料によるものであり、本願発明の「着色層」は、その外側に形成される偏光層の下地となる層といえるものであるから、引用発明の「第１の下地塗膜上に形成された、中塗り塗料による第２の下地塗膜」と本願発明の「プライマー層の上に形成されかつ着色顔料を含有する着色塗料からなる着色層」とは、「プライマー層の上に形成された下地層」である点で一致するといえる。
　
　６　アルミニウムフレークは偏光効果を有するものである（例．特開２００２−２９２００号公報【０００２】「従来から、各種の物品の意匠性の向上などを追求して、その物品の表面に、パール顔料やアルミニウムフレークを含む印刷インキで印刷層を印刷することや、パール顔料や
アルミニウムフレーク
偏光効果
　
　７　引用発明の「偏光層（光輝性ベース塗膜）」は、「下地層（第２の下地塗膜）」上に形成されたものであるから、引用発明の「偏光層」と本願発明の「『着色層の外側に形成され』た『偏光層』」とは、「下地層の外側に形成されかつ偏光顔料を含有する偏光塗料からなる」ものである点で一致する。
　
　８　引用発明の「光輝層（光輝性顔料含有クリヤー塗膜）」は、「偏光層（光輝性ベース塗膜）」上に形成されたものであるから、引用発明の「光輝層」と本願発明の「光輝層」とは、「偏光層の外側に形成された」ものである点で一致する。
　
　９　上記１ないし８から、本願発明と引用発明とは、
 「基体の表面に塗膜を有する塗装物であって、
　前記塗膜は、金属酸化物で被覆されたガラス片を含有する光輝性塗料からなる光輝層を含み、
  前記金属酸化物で被覆されたガラス片は光透過性を有しており、
  前記塗膜は、前記基体の表面上に形成されたプライマー層と、このプライマー層の上に形成された下地層と、この下地層の外側に形成されかつ偏光顔料を含有する偏光塗料からなる偏光層と、この偏光層の外側に形成された前記光輝層と、を含む塗装物。」 
である点で一致し、次の点で相違する。
　
相違点１：
　前記塗装物及び前記基体が、本願発明では、それぞれ「ゴルフクラブヘッド」及び「ヘッド基体」であるのに対して、引用発明では、どのようなものか明らかでない点。
　
相違点２：
　前記光輝性塗料における前記ガラス片の含有率が、本願発明では、「光輝性塗料の固形分に対して０．０１重量％以上でかつ１．０重量％」であるのに対して、引用発明１では、０．０１〜３０質量％（塗料固形分１００質量部に対する顔料の固形分質量割合：ＰＷＣ）である点。
　
相違点３：
　前記塗膜の全厚さが、本願発明では、「１００μｍ以下」であるのに対して、引用発明では、どのような値か明らかでない点。
　
相違点４：
　前記下地層が、本願発明では、「着色顔料を含有する着色塗料からなる着色層」であるのに対して、引用発明では、中塗り塗料による塗膜である点。
　
第５　判断
　上記相違点１ないし４について検討する。
　１　相違点１について
（１）引用例１には、「【００５１】本発明により得られる塗膜は上記意匠を呈するため、自動車、二輪車等の乗物外板、容器外面、コイルコーティング、家電業界
等の光輝性が要求される分野において好ましく使用される
（２）光輝性を有するゴルフクラブヘッドは、本願の出願前に周知である（以下「周知技術１」という。例．特開２０００−２１８９９９号公報特に「【請求項１】  部材本体と、
この部材本体上に形成され且つ
光輝性を有する
この光輝層の外側に形成され且つ透光性を有する着色層が設けられた装飾層を有する部材。」及び「【０００１】
【発明の属する技術分野】本発明は、例えば、釣竿、リール、ルアー、釣り道具箱、友舟、その他の小物用品を含む釣り用品全般、
ゴルフクラブの
ヘッド
ゴルフヘッド
【００１１】すなわち、チタン合金製ヘッド本体には、常温硬化タイプのウレタン樹脂、アクリルウレタン樹脂、ポリエステルウレタン樹脂等ビヒクルからなる塗料が使用されていたが、これら従来の塗料とチタン合金製ヘッド本体とでは密着性が十分確保出来ない。硬化剤として、ＴＤＩ，ＭＤＩ，ＨＭＤＩ等順次可とう性のあるイソシアネートを使用しても同じである。この場合、チタン合金素材に最も適した表面処理方法と言われるサンドブラスト処理を行なう方法があるが、
ゴルフヘッドには直接ゴルフボールがあたる
【００１２】また、複数の塗膜層を積層して形成される意匠層などの場合は、たとえば、隣接する片方の塗膜層に
「アルミフレーク・リーフ」「パールマイカ・リーフ」等の光輝材
このような光輝材等を含む塗膜層
光輝性
ゴルフクラブのヘッド
ゴルフクラブ
光輝性外観
ゴルフクラブ
ヘッド
（３）上記（１）及び（２）から、引用発明の塗装物をゴルフクラブヘッドとし、上記相違点１に係る本願発明の構成となすことは、当業者が周知技術１に基づいて容易になし得たことである。
　
　２　相違点２について
　光輝性塗料におけるガラス片の含有率は、当業者が適宜決定すべき設計事項というべきものであるから、引用発明において、前記含有率を０．０１〜１．０質量％（塗料固形分１００質量部に対する顔料の固形分質量割合：ＰＷＣ）とし、上記相違点２に係る本願発明の構成となすことは、当業者が適宜なし得た設計上のことである。
　
　３　相違点３について
（１）引用例２には、ヘッド基体の表面に塗膜を有するゴルフクラブヘッドであって、前記塗膜の全厚さは１００μｍ以下とすることが望ましい。前記塗膜３の全厚さｔが１００μｍを超えると、硬くかつもろくなるなど耐衝撃性が低下することが記載されている（上記第２の２（１）段落【０００６】及び（３）参照。）。
（２）上記（１）から、引用発明において、塗膜の耐衝撃性が低下することがないように、該塗膜の全厚さを１００μｍ以下とし、上記相違点３に係る本願発明の構成となすことは、当業者が引用例２に記載された事項に基づいて容易になし得たことである。
　
　４　相違点４について
（１）偏光層の下に着色層を設けたゴルクラブヘッドは、本願の出願前に周知である（以下「周知技術２」という。）。例．上記第２の２（１）及び（２）並びに特開平１１−２３５４０５号公報特に「【０００２】【従来の技術】
ゴルフクラブヘッド
プライマー塗装
下地処理をヘッド本体に施す。次に
ヘッド本体の表面に既存のカラーペイントを塗布して着色層を形成した
その上に偏光塗料を薄く上塗りする
（２）着色顔料を含有する着色塗料からなる着色層は慣用技術である（例．上記第２の１（２）段落【００１２】及び【００１３】参照。）。
（３）上記（１）及び（２）から、引用発明において、偏光層の下の下地層（中塗り塗料による下地塗膜）の中塗り塗料として、着色顔料を含有する着色塗料を用いることにより、当該下地層を着色層となし、上記相違点４に係る本願発明の構成となすことは、当業者が周知技術２に基づいて容易になし得たことである。
　
　５　効果について
　本願発明の奏する効果は、当業者が、引用発明の奏する効果、引用例２に記載された事項並びに周知技術１及び２の奏する効果から予測できた程度のものである。
　
　６　まとめ
　したがって、本願発明は、当業者が、引用例１に記載された発明、引用例２に記載された事項並びに周知技術１及び２に基づいて容易に発明をすることができたものである。
　
第６　むすび
　上記第５のとおり、本願発明は、当業者が、引用例１に記載された発明、引用例２に記載された事項並びに周知技術１及び２に基づいて容易に発明をすることができたものであるから、特許法第２９条第２項の規定により特許を受けることができない。
　よって、結論のとおり審決する。